(57)【要約】  本発明は、衣類を構成する生地同士の接着領域２０、３０に、互いに成分が異なる第１の接着剤５０による第１の塗布パターンと、第２の接着剤６０による第２の塗布パターンを分散配置することで、耐熱性、耐洗濯性、接着強度、生産性のすべてを低コストで満足する。  接着領域２０、３０に、第１の塗布パターンと第２の塗布パターンを交互に配置する。第１の接着剤は反応型接着剤６０を含むことができ、第２の接着剤は熱溶融型接着剤５０を含むことができる。接着領域の周縁領域に反応型接着剤６０による第１の塗布パターンを配置し、接着領域の周縁部の内側領域に熱溶融型接着剤５０による第２の塗布パターンを配置することができる。
2020245955.tif 000002
【特許請求の範囲】
【請求項１】
衣類を構成する生地同士の接着領域に、互いに成分が異なる第１の接着剤による第１の塗布パターンと第２の接着剤による第２の塗布パターンを分散配置したことを特徴とする衣類製造用の生地接着構造。
【請求項２】
前記第１の塗布パターンと前記第２の塗布パターンを交互に配置したことを特徴とする請求項１の生地接着構造。
【請求項３】
前記第１の接着剤が反応型接着剤を含み、前記第２の接着剤が熱溶融型接着剤を含むことを特徴とする請求項１又は２の生地接着構造。
【請求項４】
前記接着領域の周縁領域に反応型接着剤による前記第１の塗布パターンを配置すると共に、前記接着領域の周縁部の内側領域に前記熱溶融型接着剤による前記第２の塗布パターンを配置したことを特徴とする請求項３の生地接着構造。
【請求項５】
衣類を構成する生地同士の接着領域に、互いに成分が異なる第１の接着剤による第１の塗布パターンと第２の接着剤による第２の塗布パターンを分散配置した後、当該接着領域を熱圧着することを特徴とする生地接着方法。
【請求項６】
前記第１の塗布パターンと前記第２の塗布パターンを交互に配置することを特徴とする請求項５の生地接着方法。
【請求項７】
前記第１の接着剤が反応型接着剤を含み、前記第２の接着剤が熱溶融型接着剤を含むことを特徴とする請求項５又は６の生地接着方法。
【請求項８】
前記接着領域の周縁領域に反応型接着剤による前記第１の塗布パターンを配置すると共に、前記接着領域の周縁部の内側領域に前記熱溶融型接着剤による前記第２の塗布パターンを配置することを特徴とする請求項７の生地接着方法。
【請求項９】
請求項１から４のいずれか１項の生地接着構造を有することを特徴とする衣類。
【発明の詳細な説明】
【技術分野】
【０００１】
本発明は衣類の製造に適した生地接着構造と接着方法および当該生地接着構造を有する衣類に係り、特に熱溶融型接着剤と反応型接着剤を組み合わせた生地接着構造と接着方法および衣類に関する。
【背景技術】
【０００２】
肌着をはじめとする各種衣類の製造工程では、一般的に縫製で生地をつなぎ合わせる。しかし、縫製の縫い目はチクチク感やカユミ感の原因になるためユーザから敬遠され、特に直接肌に触れる部分が多い肌着では敬遠感が強い。そこで最近では縫製仕様に代わって無縫製接着仕様が好まれる傾向にある。【０００３】
この無縫製接着仕様では、ホットメルトなどの接着剤を片方の生地の接着部分にスクリーン塗布し、この塗布部分に他方の生地を重ね合わせて熱圧着する。接着剤に代えて熱可塑性樹脂による接着性フィルムや接着性テープを使用して熱圧着する場合もある。【０００４】
一方、近年ではホットメルト接着剤をディスペンサなどの塗布装置を使用して生地に直接塗布することが可能になってきた。このディスペンサを使用すると、生産する製品の変更等に対応して様々な塗布パターンを容易に形成可能なため、生産効率の向上が可能である。【０００５】
ホットメルト接着剤は多種類存在し、例えば特許文献１では、ポリアミド系やポリウレタン系などのリキッド接着剤が生地接着用として開示されている。これら接着剤は、接着強度が高いことや耐洗濯性に優れていることが必要である。【０００６】
また特許文献２では、反応型ホットメルト接着剤が生地接着用として開示されている。この反応型ホットメルト接着剤は、湿気や光により３次元架橋構造を形成するため、耐熱性、耐洗濯性、接着強度の面でも優れ、生地接着用の接着剤として近年注目されている。
【先行技術文献】
【特許文献】
【０００７】
【特許文献１】特開２０１３−００２０１７号公報
【特許文献２】特開２０１８−１５９１６６号公報
【発明の概要】
【発明が解決しようとする課題】
【０００８】
熱溶融型ホットメルト接着剤は、熱を加えることにより接着剤が軟化するため、耐熱性が低いという短所がある。そのため、接着後でも高温環境で負荷が掛かった場合、接着部分が剥がれるなどの問題が発生していた。例を上げると、洗濯時に綿製品などで汚れを落ちやすくするために液温を約９０℃にする場合では、熱可塑性の接着剤が軟化することにより強度が低下し、洗濯時の負荷で接着部分が剥がれやすくなる。【０００９】
一方、反応型ホットメルト接着剤は充分な耐熱性があるが、接着工程後架橋反応終了まで、早くて１時間、通常は２４時間、製品を放置養生する必要があるので生産性が低いという短所がある。加えて放置養生の場所確保や、放置養生中の製品の保全管理の手間もかかる。【００１０】
このように熱溶融型ホットメルト接着剤と反応型ホットメルト接着剤は一長一短がある。耐熱性、耐洗濯性、接着強度、生産性のすべてを満足する接着剤は一般的に高価なため製品のコストアップになる。【００１１】
そこで本発明の目的は、耐熱性、耐洗濯性、接着強度、生産性のすべてを低コストで満足する衣類の生地接着構造と接着方法および当該生地接着構造を有する衣類を提供することにある。
【課題を解決するための手段】
【００１２】
前記課題を解決するため、本発明に係る生地接着構造は、衣類を構成する生地同士の接着領域に、互いに成分が異なる第１の接着剤による第１の塗布パターンと第２の接着剤による第２の塗布パターンを分散配置したことを特徴とする。【００１３】
また、本発明に係る生地接着方法は、衣類を構成する生地同士の接着領域に、互いに成分が異なる第１の接着剤による第１の塗布パターンと第２の接着剤による第２の塗布パターンを分散配置した後、当該接着領域を熱圧着することを特徴とする。
【発明の効果】
【００１４】
本発明によれば、衣類の生地接着構造の耐熱性、耐洗濯性、接着強度、生産性のすべてを低コストで満足することができる。
【図面の簡単な説明】
【００１５】
【図１Ａ】本発明の生地接着構造を有するショーツの正面図である。
【図１Ｂ】ショーツの展開図である。
【図２Ａ】前身頃の両側の接着剤塗布パターン１を示す図である。
【図２Ｂ】股部の接着剤塗布パターン１を示す図である。
【図２Ｃ】接着剤塗布パターン１の拡大図である。
【図３Ａ】前身頃の両側の接着剤塗布パターン２を示す図である。
【図３Ｂ】股部の接着剤塗布パターン２を示す図である。
【図３Ｃ】接着剤塗布パターン２の拡大図である。
【図４】接着剤の比較塗布パターンの拡大図である。
【発明を実施するための形態】
【００１６】
以下、本発明の実施形態に係る衣類の生地接着構造と接着方法を、当該生地接着構造を有する衣類としてのショーツの図面を参照して説明する。図１Ａはショーツ１０の正面図、図１Ｂは当該ショーツ１０の展開裏面図である。
【００１７】
ショーツ１０は、前身頃１１と後身頃１２が股部１３で連結された一枚生地で作られる。股部１３の内面にはマチ生地１４が貼り合わされる。このマチ生地１４を貼り合わせた後、前身頃１１と後身頃１２の左右両側縁部１１ａ，１２ａ同士を接着することでショーツ１０が完成する。
【００１８】
本発明の実施形態に係る生地接着構造は、図２Ｃの塗布パターン１または図３Ｃの塗布パターン２を使用する。当該塗布パターン１、２で、股部１３の接着と、左右両側縁部１１ａ，１２ａ同士の接着を行う。
【００１９】
図２Ａは前身頃１１の左右両側縁部１１ａに沿って形成された接着領域２０を示す。図２Ｂは股部１３の周囲に沿って環状に形成された接着領域３０を示す。これら接着領域２０、３０に図２Ｃの塗布パターン１で接着剤が塗布される。
【００２０】
図２Ｃの塗布パターン１は、黒丸で示す熱溶融型ホットメルト接着剤５０によるドットパターンと、白丸で示す反応型ホットメルト接着剤６０によるドットパターンで構成されている。これらドットパターンは、ディスペンサに代表される液体吐出装置を２台使用して形成する。１台の液体吐出装置で熱溶融型ホットメルト接着剤５０のドットパターンを塗布し、他の１台の液体吐出装置で反応型ホットメルト接着剤６０のドットパターンを塗布する。
【００２１】
熱溶融型ホットメルト接着剤は、例えば、ポリアミド系ホットメルト接着剤、ポリウレタン系ホットメルト接着剤などである。反応型ホットメルト接着剤は、例えば、湿気硬化型ホットメルト接着剤などである。これらをディスペンサで塗布する時の接着剤粘度は、例えば、約１０，０００〜４５，０００ｍｐａｓ、より好ましくは１０，０００〜３０，０００ｍｐａｓである。
【００２２】
図２Ｃの塗布パターン１では、反応型ホットメルト接着剤６０のドットパターンと熱溶融型ホットメルト接着剤５０のドットパターンが分散配置されている。このように成分が異なる２つの接着剤５０、６０による塗布パターンを分散配置することで、耐熱性や、接着剤が硬化するまでの時間の偏りを防止し、接着剤５０、６０の互いの短所を補うことができる。なお、ドットパターンの粒径は例えば２ｍｍとし、ドット相互間は例えば１．２３ｍｍの間隔を開ける。
【００２３】
また図２Ｃの塗布パターン１は、反応型ホットメルト接着剤６０のドットパターンを接着領域２０、３０の周縁領域に配置し、熱溶融型ホットメルト接着剤５０のドットパターンを接着領域２０、３０の周縁部の内側領域に配置している。これにより、接着領域２０、３０の周縁領域を反応型ホットメルト接着剤６０による高耐熱性の塗布パターンとすることができる。なお、図２Ｃの塗布パターン１は、２種類の接着剤５０、６０をほぼ１列置きに交互に配置または塗布しているが、２列おきに配置または塗布してもよい。
【００２４】
これとは異なり、図４に示すように熱溶融型ホットメルト接着剤５０のドットパターンと反応型ホットメルト接着剤６０のドットパターンを左右に分離した形で配置すると、成分が同じ接着剤が１つの接着領域内の１箇所に集中する。このため、１つの接着領域で耐熱性や接着剤が硬化するまでの時間の偏りが発生し、接着剤５０、６０の互いの短所を補うことが難しくなる。
【００２５】
図２Ａと図２Ｂのように接着剤５０、６０のドットパターンを塗布形成した後、図１Ｂのようにマチ生地１４を股部１３に重ね合わせて熱圧着する。次に、前身頃１１と後見頃１２の側縁部１１ａ，１２ａ同士を重ね合わせて熱圧着し、その後接着部分を冷却することでショーツ１０が完成する。当該熱圧着は、例えば温度１７０℃、プレス時間１５秒、圧力０．５ｋｇｆ／ｃｍ２で行う。
【００２６】
完成品は接着領域２０、３０の熱溶融型ホットメルト接着剤５０が冷却硬化して剥がれなくなる。すなわち、接着領域２０、３０の生地がずれなくなる。このため製品の取り扱いが非常に楽になり、生産性も高くすることが可能となる。
【００２７】
完成品のショーツ１０は、生産時には熱溶融型ホットメルト接着剤５０の塗布部分で接着剤硬化時間が短いため、工場内で完成品の重ね置きも可能である。反応型ホットメルト接着剤６０のみを使用した場合は製品の放置養生が必要なため、少なくとも放置養生の間は製品一枚ごとに負荷が掛からないよう保管棚などで分散保管する必要性があったが、本発明によってそれが不要になる。
【００２８】
本発明では反応型ホットメルト接着剤６０の塗布部分によって耐熱性が付与されるので、９０℃の熱湯による洗濯時の熱で熱溶融型ホットメルト接着剤５０が軟化したとしても、反応型ホットメルト接着剤６０で生地が定位置に保持される。このため、熱溶融型ホットメルト接着剤５０が生地から剥がれるのを防ぐことができる。
【００２９】
また、反応型ホットメルト接着剤６０が接着領域２０、３０の周縁領域に配置または塗布されているため、洗濯時に接着された生地同士を剥がそうとする力が働いても、周縁領域の反応型ホットメルト接着剤６０によって大部分の負荷が担持される。このため、熱溶融型ホットメルト接着剤５０に必要以上の力が掛かるのを防ぐことができる。実際に、完成されたショーツ１０を所定の洗濯方法で洗濯したが、接着領域での剥離はまったく認められなかった。ここで所定の洗濯方法とは、ＩＳＯ６３３０−９Ｎで定められたもので、約９０℃の熱湯を使用した洗濯時間１５分の洗濯方法である。
【００３０】
図３Ａ〜図３Ｃの塗布パターン２は、反応型ホットメルト接着剤６０による塗布パターンを周縁領域に配置し、熱溶融型ホットメルト接着剤５０による塗布パターンをその内側領域に配置したものである。図２Ａ〜図２Ｃの塗布パターン１と同様に、内側接着領域では熱溶融型ホットメルト接着剤５０による硬化時間の短さによる生産性の高さが得られ、周縁接着領域では反応型ホットメルト接着剤６０による耐熱性が確保される。塗布パターン１と同様に、完成されたショーツ１０を前述した所定の洗濯方法（ＩＳＯ６３３０−９Ｎ）で洗濯したが、接着領域２０、３０の剥離はまったく認められなかった。
【００３１】
以上、本発明の実施形態と実施例について説明したが、本発明は前記実施形態・実施例に限定されることなく種々の変形が可能である。例えば前記実施形態では接着領域に熱溶融型ホットメルト接着剤５０と反応型ホットメルト接着剤６０を使用したが、その他の接着剤を使用し、その他の好ましい特徴を付与することも可能である。
【００３２】
また、互いに成分が異なる第１の接着剤による第１の塗布パターンと第２の接着剤による第２の塗布パターンを分散配置する場合に、当該分散配置の領域内に、成分が異なる第３の接着剤による第３の塗布パターンや、第４の接着剤による第４の塗布パターンを追加配置することも可能である。本発明は、このように１又は２以上の追加の塗布パターンを含む生地接着構造と接着方法も包含するものである。
【００３３】
また図２Ｃ、図３Ｃの接着剤塗布パターンは例示に過ぎず、これら塗布パターンに限られるものではない。また接着剤塗布パターンは接着する生地の両方に形成してもよく、その場合相手側の生地の接着パターンと自分側生地の接着パターンができるだけ互いに重ならないようにするのが望ましい。
【００３４】
また、接着剤塗布パターンはディスペンサで塗布形成する他、接着剤を塗布したシートを生地に貼り付けて当該接着剤を生地に転写することで形成することも可能である。また前記実施形態では衣類の一例としてショーツを挙げたが、本発明はショーツに限らずハーフトップ、タンクトップ、インナーシャツ、ブラジャー、キャミソールなどの肌着全般およびその他アウターなどの各種衣類にも適用可能である。
【符号の説明】
【００３５】
１０：ショーツ                      １１：前身頃
１１ａ，前身頃の左右両側縁部        １２：後身頃
１２ａ：後身頃の左右両側縁部        １３：股部
１４：マチ生地                      ２０、３０：接着領域
５０：熱溶融型ホットメルト接着剤    ６０：反応型ホットメルト接着剤
【図１Ａ】
2020245955.tif 000003
【図１Ｂ】
2020245955.tif 000004
【図２Ａ】
2020245955.tif 000005
【図２Ｂ】
2020245955.tif 000006
【図２Ｃ】
2020245955.tif 000007
【図３Ａ】
2020245955.tif 000008
【図３Ｂ】
2020245955.tif 000009
【図３Ｃ】
2020245955.tif 000010
【図４】
2020245955.tif 000011
【国際調査報告】
2020245955.tif 000012
2020245955.tif 000013
2020245955.tif 000014
2020245955.tif 000015